(57)【特許請求の範囲】
【請求項１】
柔軟性を有する織物型電子素子パッケージにおいて、
織物ベースと、
前記織物ベースの上段に形成される織物型電子素子及び終端接点を有する多数の伝導性パターンと、
前記織物ベースの下段に形成される熱可塑性接着剤と、
前記熱可塑性接着剤上にパターン形成され、それぞれ伝導性パターンと対向する多数のマウンティングパッドと、
前記多数の伝導性パターンの各終端接点、前記織物ベース及び前記熱可塑性接着剤を貫通する形態で形成されて各伝導性パターンと各マウンティングパッドを電気的に連結させる多数のビアホール型連結部であって、各ビアホール型連結部は多数のビア孔により形成されている、多数のビアホール型連結部と、
を備える織物型電子素子パッケージ。
【請求項２】
前記織物ベースは、
織物、転写紙或いはシームシーリングテープを含む衣類副資材を含むことを特徴とする請求項１に記載の織物型電子素子パッケージ。
【請求項３】
前記多数のビアホール型連結部のそれぞれは、
前記多数のビア孔の内部が伝導性高分子で埋め込まれたビアホール束の形態を有することを特徴とする請求項１に記載の織物型電子素子パッケージ。
【請求項４】
柔軟性を有する織物型電子素子パッケージにおいて、
織物ベースと、
前記織物ベースの上段に形成される織物型電子素子及び、終端接点を有する多数の伝導性パターンと、
前記織物ベースの下段に形成される熱可塑性接着剤と、
前記多数の伝導性パターンの各終端接点、前記織物ベース及び前記熱可塑性接着剤を貫通する形態で形成されて各伝導性パターンと電気的に連結され、多数のビアホール型連結部であって、各ビアホール型連結部は多数のビア孔により形成されている、多数のビアホール型連結部と、
を備える織物型電子素子パッケージ。
【請求項５】
前記織物ベースは、
織物、転写紙或いはシームシーリングテープを含む衣類副資材を含むことを特徴とする請求項４に記載の織物型電子素子パッケージ。
【請求項６】
前記多数のビアホール型連結部のそれぞれは、
前記多数のビア孔の内部が伝導性高分子で埋め込まれたビア孔束の形態を有することを特徴とする請求項４に記載の織物型電子素子パッケージ。
【発明の詳細な説明】
【技術分野】
【０００１】
本発明は織物型電子素子パッケージの構造に関し、更に詳しくは、織物又は衣服上にコンピューティングシステムを具現するのに適した特化した織物型電子素子パッケージ及びその製造方法と織物型電子素子パッケージの実装方法に関する。
【背景技術】
【０００２】
近年、コンピューティング技術の発展に伴い、携帯機器の性能と機能が飛躍的に発展した。ユビキタスコンピューティングの概念が確立された後、いつでもどこでもコンピューティング環境を使用しようとする努力が進められることにより、個人が持ち歩く個人用携帯機器の重要性が増している状況である。
【０００３】
このような努力の一環として、個人がモバイルフォン或いはスマートフォンのように、デジタル機器を携帯するよりは人間が日常生活を営みながら使用してきた衣服、時計、ネックレスなどのような日常用品に適用しようとする試みがなされている。
【０００４】
特に、このような多様な試みのうち、織物上に既存の硬い素材からなる電子素子（又は部品）を織物或いは衣服に適した形態にし、実装しようとする研究が行われてきたが、まだ初期段階にとどまっているのが現状である。織物に実装される電子回路は活動するのに不便があってはならず、活動が発生し得る曲げ、伸ばしなどのように既存の電子機器で考慮していなかった様々な劣悪な条件を克服しなければならない課題が散在している。
【０００５】
このような問題を解決しようとする既存の方法を詳察すると、学会ＰｅｒｓｏｎａｌａｎｄＵｂｉｑｕｉｔｏｕｓＣｏｍｐｕｔｉｎｇ２００９に紹介された“Ｆａｂｒｉｃ ＰＣＢｓ，ｅｌｅｃｔｒｏｎｉｃｓｅｑｕｉｎｓ，ａｎｄｓｏｃｋｅｔｂｕｔｔｏｎｓ：ｔｅｃｈｎｉｑｕｅｓｆｏｒｅ-ｔｅｘｔｉｌｅｃｒａｆｔ”論文では伝導性コーティング糸（又は伝導性繊維糸）を用いて既存の電子素子を環状素子に改造した後、針仕事をして相互連結する技術を公開し、学会ＩＳＷＣ２００５で発表された“ＥｍｂｒｏｉｄｅｒｉｎｇＥｌｅｃｔｒｉｃａｌＩｎｔｅｒｃｏｎｎｅｃｔｓｗｉｔｈＣｏｎｄｕｃｔｉｖｅＹａｒｎｆｏｒＴｈｅＩｎｔｅｇｒａｔｉｏｎｏｆＦｌｅｘｉｂｌｅＥｌｅｃｔｒｏｎｉｃＭｏｄｕｌｅｓｉｎｔｏＦａｂｒｉｃ”論文では既存の電子素子を軟性印刷回路ボード（ＦｌｅｘｉｂｌｅＰＣＢ）に具現し、衣服上に軟性印刷回路ボードにある連結パッド（ＰＡＤ）を刺繍機で返し縫をして連結する技術を提案した。
【発明の概要】
【発明が解決しようとする課題】
【０００６】
このような既存の方法は、軟性印刷回路ボードや織物からなる回路ボードを伝導性コーティング糸（又は伝導性繊維糸）或いは伝導性フィラメント糸を用いてミシンで裁縫するか、針仕事をして衣服或いは織物に形成された回路と連結し、結びつける方法を用いているが、ミシンの特性上、微細なパターンを具現することは難しく、量産のために機械化するのには不十分な面がある。特に、伝導性フィラメント糸を用いる場合には接合段階でフィラメント被覆を除去しなければならないという技術的な困難が伴う。
【０００７】
そこで、本発明の目的は、織物型電子素子パッケージの製作方法及び製作されたパッケージを用いて織物上の回路パターンに容易に連結できる方法を提供することにある。
【０００８】
また、本発明の他の目的は、織物上に電子回路を構成するにおいて、織物電子素子パッケージを製作し、製作された織物電子素子パッケージを織物上に容易に連結できる実装方法を提供することにある。
【課題を解決するための手段】
【０００９】
本発明は、一様態によれば、織物ベースと、前記織物ベースの上段に形成される 織物型電子素子及び終端接点を有する多数の伝導性パターンと、前記織物ベースの下段に形成される熱可塑性接着剤と、前記熱可塑性接着剤上にパターン形成され、それぞれ伝導性パターンと対向する多数のマウンティングパッドと、前記多数の伝導性パターンの各終端接点、前記織物ベース及び前記熱可塑性接着剤を貫通する形態で形成されて各伝導性パターンと各マウンティングパッドを電気的に連結させる多数のビアホール型連結部とを備える織物型電子素子パッケージを提供する。
【００１０】
本発明の他の様態によれば、織物ベースの下段に熱可塑性接着剤を塗布する過程と、前記織物ベースの上段に織物型電子素子及び、終端接点を有する多数の伝導性パターンとを形成する過程と、前記熱可塑性接着剤上に 前記多数の伝導性パターンの各終端接点に対向する多数のマウンティングパッドをそれぞれ形成する過程と、前記各終端接点、前記織物ベース及び前記熱可塑性接着剤を順次穿孔することによって、前記多数のマウンティングパッドの上部一部をそれぞれ露出させる多数のビアホールを形成する過程と、前記多数のビアホールのそれぞれに伝導性高分子を埋め込んで各伝導性パターンと各マウンティングパッドを電気的に連結する多数のビアホール型連結部を形成する 過程とを含む織物型電子素子パッケージの製造方法を提供する。
【００１１】
また、本発明の他の様態によれば、織物ベースの上段に織物型電子素子及び、終端接点を有する多数の伝導性パターンが形成され、その下段に熱可塑性接着剤と伝導性高分子からなる多数のマウンティングパッドが形成され、前記多数の伝導性パターンの各終端接点と対向する各マウンティングパッドを電気的に連結させる多数のビアホール型連結部が形成される織物型電子素子パッケージを準備する過程と、前記織物型電子素子パッケージを伝導性回路パターンを有する織物の目標位置に整列させる過程と、前記織物型電子素子パッケージと前記伝導性回路パターン間の当接する領域に熱を加えて、前記伝導性高分子の焼成と同時に、前記織物型電子素子パッケージを前記織物に接着させる過程とを含む織物型電子素子パッケージの実装方法を提供する。
【００１２】
更に、本発明の他の様態によれば、 織物ベースと、前記織物ベースの上段に形成される織物型電子素子及び、終端接点を有する多数の伝導性パターンと、前記織物ベースの下段に形成される熱可塑性接着剤と、前記多数の伝導性パターンの各終端接点、前記織物ベース及び前記熱可塑性接着剤を貫通する形態で形成されて各伝導性パターンと電気的に連結され、多数のビアホール型連結部とを備える織物型電子素子パッケージを提供する。
【００１３】
また更に、本発明の他の様態によれば、織物ベースの下段に熱可塑性接着剤を塗布する過程と、前記織物ベースの上段に織物型電子素子及び、終端接点を有する多数の伝導性パターンを形成する過程と、
前記各終端接点、前記織物ベース及び前記熱可塑性接着剤を順次穿孔して多数のビアホールを形成する過程と、前記ビアホールが形成された前記織物ベースを伝導性回路パターンを有する織物の目標位置に整列させる過程と、前記多数のビアホールのそれぞれに伝導性高分子を埋め込む過程と、前記織物ベースと前記織物の伝導性回路パターン間の当接する領域に熱を加えて、前記伝導性高分子の焼成と同時に、前記織物ベースを前記織物に接着させる過程とを含む織物型電子素子パッケージの製造及び実装方法を提供する。  
【発明の効果】
【００１４】
本発明は、織物型或いは衣服型コンピューティングシステムを具現するにおいて既存の電子素子或いは織物に基づいて作られた電子素子を織物形態のパッケージで構成することによって、織物或いは衣服基盤の電子回路の具現に適した形態を有する。
【００１５】
また、本発明の織物型電子素子パッケージ及び実装方法は、部品を半田付けして取り付ける既存の電子回路を構成する方法と比較すると、製作上、大きな差がないため、既存の電子素子及びパッケージメーカーが受け入れやすい構造を有しており、電子衣類製品を製作するにおいても、衣類に柄や文字を熱圧着により付着する既存の実装方法と大きく変わらないため、適用における汎用性を確保でき、工程の単純化を通じた生産性の向上を実現できるという効果を奏する。
【００１６】
更に、従来の針仕事、或いは裁縫を用いた接着方法は、特性上、微細なパターンを接合するのには限界が伴わざるを得ず、特に既に製作された衣服のように、裏地及び表地が既に作られている場合、一方の生地にだけ返し縫をするには困難な点があり、製作者が必ず針仕事のような手作業を利用して織物型電子素子パッケージを実装せざるを得ないが、本発明は熱圧着を用いた接着方式で織物型電子素子パッケージを織物又は衣服に接着できるため、既に製作された衣服或いは織物のどんな位置にも織物型電子素子パッケージを容易に接着できるという長所を有する。
【図面の簡単な説明】
【００１７】
【図１Ａ】本発明の実施形態による織物型電子素子パッケージの構造図である。
【図１Ｂ】本発明の実施形態による織物型電子素子パッケージの構造図である。
【図２】本発明の実施形態による織物型電子素子パッケージのビアホール型連結溝の細部構造を示す拡大断面図である。
【図３Ａ】本発明による織物型電子素子パッケージを織物に接着した構造を示す構成例示図である。
【図３Ｂ】本発明による織物型電子素子パッケージを織物に接着した構造を示す構成例示図である。
【図４Ａ】本発明の実施形態によって織物型電子素子パッケージを製造し、これを織物に接着させる過程を示す製造工程図である。
【図４Ｂ】本発明の実施形態によって織物型電子素子パッケージを製造し、これを織物に接着させる過程を示す製造工程図である。
【図４Ｃ】本発明の実施形態によって織物型電子素子パッケージを製造し、これを織物に接着させる過程を示す製造工程図である。
【図４Ｄ】本発明の実施形態によって織物型電子素子パッケージを製造し、これを織物に接着させる過程を示す製造工程図である。
【図４Ｅ】本発明の実施形態によって織物型電子素子パッケージを製造し、これを織物に接着させる過程を示す製造工程図である。
【図４Ｆ】本発明の実施形態によって織物型電子素子パッケージを製造し、これを織物に接着させる過程を示す製造工程図である。
【図４Ｇ】本発明の実施形態によって織物型電子素子パッケージを製造し、これを織物に接着させる過程を示す製造工程図である。
【図５】本発明の他の実施形態による織物型電子素子パッケージの構造図である。
【図６】本発明の他の実施形態による織物型電子素子パッケージのビアホール型連結溝の細部構造を示す拡大断面図である。
【図７Ａ】本発明の他の実施形態によって織物型電子素子パッケージを製造して織物に接着させる過程を示す製造工程図である。
【図７Ｂ】本発明の他の実施形態によって織物型電子素子パッケージを製造して織物に接着させる過程を示す製造工程図である。
【図７Ｃ】本発明の他の実施形態によって織物型電子素子パッケージを製造して織物に接着させる過程を示す製造工程図である。
【図７Ｄ】本発明の他の実施形態によって織物型電子素子パッケージを製造して織物に接着させる過程を示す製造工程図である。
【図７Ｅ】本発明の他の実施形態によって織物型電子素子パッケージを製造して織物に接着させる過程を示す製造工程図である。
【発明を実施するための形態】
【００１８】
以下、添付する図面を参照して本発明の好適な実施形態について詳細に説明する。
【実施形態１】
【００１９】
図１Ａ及び図１Ｂは、本発明の実施形態による織物型電子素子パッケージの構造図である。図１Ａを参照すれば、本実施形態の織物型電子素子パッケージ１００は、織物ベース１０２の上段に織物型電子素子１０８と織物型電子素子１０８と電気的に連結される、終端接点１０６ａを有する多数の伝導性パターン１０６が形成され、織物ベース１０２の下段（即ち、織物に接着された部分）に熱可塑性接着剤１０４が形成される構造を有する。織物型電子素子パッケージ１００は、織物或いは衣服に実装（又は接着）して使用可能な程度に十分な柔軟性を有する。織物ベース１０２は、例えば、織物、転写紙或いはシームシーリング（ｓｅａｍｓｅａｌｉｎｇ）テープのような衣類副資材を含むことができる。
【００２０】
織物型電子素子１０８と伝導性パターン１０６は、この技術分野においてよく知られている通常の技法で織物ベース１０２に実装され得、熱可塑性接着剤１０４としては、例えば、衣類副資材であるホットフィックス又はホットメルトなどに用いられる熱可塑性接着剤を用いてもよく、熱可塑性接着剤が塗布された転写紙を織物ベースとして用いてもよい。
【００２１】
また、織物ベース１０２の上段に実装される電子素子１０８は、例えば、受動素子、能動素子、高集積ＩＣなどが使用され得るが、そのために、伝導性パターン１０６は電子素子１０８に実装される電子部品が有する電極数だけのパターン数で形成され得る。
【００２２】
織物型電子素子パッケージ１００の背面図である図１Ｂを参照すれば、熱可塑性接着剤１０４側には柔軟性を有する伝導性高分子（例えば、伝導性インク又は伝導性接着剤）からなる多数のマウンティングパッド１１０が形成される。多数のマウンティングパッド１１０は織物ベース１０２の長手方向の両側の周辺部に沿って織物ベース１０２の上段側に形成された伝導性パターン１０６の終端接点１０６ａと対向する位置にそれぞれ形成される。
【００２３】
マウンティングパッド１１０は、例えば、スクリーンマスクを用いるシルクスクリーン印刷技法でパターン形成されることができる。このとき、各伝導性パターン１０６の終端接点１０６ａと各マウンティングパッド１１０の間には織物ベース１０２と熱可塑性接着剤１０４を貫通してその内部が伝導性高分子で埋め込まれた多数のビアホール型連結部１１２がそれぞれ形成されるが、このような構造は、一例として、図２に示す通りである。
【００２４】
図２は、本発明の実施形態による織物型電子素子パッケージのビアホール型連結部の細部構造を示す拡大断面図である。
【００２５】
図２を参照すれば、ビアホール型連結部１１２は、織物ベース１０２と熱可塑性接着剤１０４を貫通して各伝導性パターン１０６と各マウンティングパッド１１０とを電気的にそれぞれ連結させる。ビアホール型連結部１１２は、伝導性パターン１０６の終端接点１０６ａ、織物ベース１０２及び熱可塑性接着剤１０４を順次穿孔してビアホールを規定した後、ビアホールを伝導性高分子で埋め込むか、充填して形成される。
【００２６】
各ビアホール型連結部１１２は、１つのビア孔ではなく、多数のビア孔（即ち、微細孔束）で形成され得るが、これは織物型電子素子パッケージの使用特性上、伸ばしと曲げなどのような物理的、構造的な変化にも十分に堅固性を維持できるようにするためである。従って、微細孔束を構成する孔の数は製造上の困難性がない範囲内で最大限多数にすることが好ましい。ここで、ビアホール型連結部１１２を構成する微細孔束は、例えば、微細レーザ穿孔機を用いて形成され得る。
【００２７】
図３は、本発明による織物型電子素子パッケージを織物に接着した構造を示す構成例示図であって、図３Ａは織物３００に伝導性回路パターン３０２が形成された例示図であり、このような伝導性回路パターン３０２は、この技術分野においてよく知られている伝導性インクを用いる印刷技法や伝導性コーティング糸又は伝導性フィラメント糸を用いて刺繍或いは裁縫を通じた方式で形成され得る。
【００２８】
図３Ｂは、伝導性回路パターン３０２が形成された織物３００に本実施形態によって製造された織物型電子素子パッケージを接着した構成例示図を示す。
【００２９】
図４Ａ〜図４Ｆは、本発明の実施形態によって織物型電子素子パッケージを製造し、これを織物に接着させる過程を示す製造工程図である。
【００３０】
まず、説明の便宜と理解の促進のために、図４では、終端接点１０６ａ、ビアホール型連結部１１２及びマウンティングパッド１１０を中心に説明する。
【００３１】
図４Ａを参照すれば、接着剤塗布工程を実施することによって、織物ベース１０２の下段に熱可塑性接着剤１０４を塗布する。このような熱可塑性接着剤１０４は、例えば、ホットメルト又はホットフィックスなどに用いられる熱可塑性接着剤を利用でき、また熱可塑性接着剤が塗布された転写紙を織物ベースとして利用することも可能である。
【００３２】
次に、この技術分野においてよく知られている通常の技法、例えば、スクリーンマスクを用いるシルクスクリーン印刷を実施することによって、図４Ｂに示すように、織物ベース１０２の上段に終端接点１０６ａを有する伝導性パターン１０６を印刷して形成する。また、スクリーンマスクを用いるシルクスクリーン印刷を実施することによって、図４Ｃに示すように、織物ベース１０２の下段部分に柔軟性を有する伝導性高分子（例えば、伝導性インク又は伝導性接着剤）からなるマウンティングパッド１１０をパターン形成する。
【００３３】
続いて、微細レーザ穿孔機などを用いる穿孔工程を実施して伝導性パターン１０６の終端接点１０６ａ、織物ベース１０２及び熱可塑性接着剤１０４を順次穿孔することによって、図４Ｄに示すように、マウンティングパッド１１０の上部一部を露出させる多数のビアホール１１２ａを形成する。ここで、ビアホール１１２ａは１つのビア孔ではなく、多数のビア孔（即ち、微細孔束）で形成され得るが、これは織物型電子素子パッケージの使用特性上、伸ばしと曲げなどのような物理的、構造的な変化にも十分に堅固性を維持できるようにするためである。
【００３４】
次に、スクリーンマスクを用いるシルクスクリーン印刷工程を実施することによって、図４Ｅに示すように、微細孔束に伝導性高分子を埋め込むか、充填することで、終端接点１０６ａを通じて伝導性パッド１１０と伝導性パターン１０６とを電気的に連結するビアホール型連結部１１２を形成し、伝導性パターン１０６上の目標位置に織物型電子素子又は電子素子を実装して織物型電子素子パッケージを完成する。
【００３５】
続いて、塗布工程を実施することによって、図４Ｆに示すように、完成した織物型電子素子パッケージの各マウンティングパッド１１０に伝導性接着剤（又はＡＣＦ（異方性伝導性フィルム））１１１を塗布する。
【００３６】
その後、完成した織物型電子素子パッケージを伝導性回路パターン３０２を有する織物３００（又は衣服）の目標位置に整列（即ち、織物型電子素子パッケージの各伝導性接着剤１１１が織物に形成された対応する各伝導性回路パターン３０２上に接触整列）させ、熱圧着装置（例えば、レーザ接合機、アイロン、半田ごて、超音波接合機など）を用いて織物型電子素子パッケージと織物３００が当接する領域に熱を加えることによって、一例として、図４Ｇに示すように、伝導性接着剤１１１の焼成と同時に、織物型電子素子パッケージを織物３００に接着させる。ここで、伝導性接着剤１１１は一定量の熱により焼成されなければ伝導度が発生しない伝導性インク又は伝導性接着剤であり、熱の放射方向は織物の背面側或いは織物型電子素子パッケージが実装された側になり得る。
【００３７】
即ち、本実施形態によれば、熱圧着装置を用いる焼成工程を通じて一度に織物型電子素子パッケージの電極（即ち、マウンティングパッド）と織物の電極（即ち、伝導性回路パターン）を相互連結すると同時に、織物型電子素子パッケージの熱可塑性接着剤と織物を接着させる。従って、接着力が相対的に弱くなり得る伝導性高分子（伝導性接着剤）の接着力を周囲の熱可塑性接着剤が強く補完することによって、全体的な接着力を増大させることができ、これを通じて織物に変形（例えば、伸ばし、曲げなど）が加えられても柔軟性を維持すると共に、優れた堅固性及び織物の接着力を維持できる。
【実施形態２】
【００３８】
図５は、本発明の他の実施形態による織物型電子素子パッケージの構造図であり、図６は、本発明の他の実施形態による織物型電子素子パッケージのビアホール型連結部の細部構造を示す拡大断面図である。
【００３９】
図５及び図６を参照すれば、本実施形態２の織物型電子素子パッケージ５００は、前述した実施形態１の織物型電子素子パッケージ１００の構造でマウンティングパッドを形成しない点を除いた残りの構成は実質的に同一である。
【００４０】
即ち、参照番号５０２は図１の１０２に、５０４は図１の１０４に、５０６は図１の１０６に、５０６ａは図１の１０６ａに、５０８は図１の１０８に、５１２は図１の１１２にそれぞれ対応する。そして、図６において、説明していない参照番号６００は織物を指し、６０２は伝導性回路パターンを指す。
【００４１】
また、本実施形態２のビアホール型連結部５１２は、実施形態１のビアホール型連結部１１２と同様に、１つのビア孔ではなく、多数のビア孔（即ち、微細孔束）で形成されるものであって、織物型電子素子パッケージ５００の伝導性パターン５０６と織物６００の伝導性回路パターン６０２を電気的に連結させる構造を有する。
【００４２】
ただし、本実施形態２においては、熱可塑性接着剤５０４上にマウンティングパッドを形成しない点に差があり、このような構造的な差によって織物型電子素子パッケージを織物（又は衣服）に実装（接着）する工程が変わる差異点を有するが、これについては、その製造工程を示す図７を参照して以下で詳細に記述する。
【００４３】
図７Ａ〜図７Ｅは、本発明の他の実施形態によって織物型電子素子パッケージを製造して織物に接着させる過程を示す製造工程図である。
【００４４】
図７Ａ及び図７Ｂを参照すれば、前述した実施形態１の図４Ａ及び図４Ｂと同様に、織物ベース５０２の下段部分に熱可塑性接着剤５０４を塗布し、織物ベース５０２の上段部分にそれぞれの終端接点５０６ａを有する多数の伝導性パターン５０６を形成する。
【００４５】
次に、前述した実施形態１と同様に、微細レーザ穿孔機などを用いる穿孔工程を実施して伝導性パターン５０６の終端接点５０６ａ、織物ベース５０２及び熱可塑性接着剤５０４を順次穿孔することによって、図７Ｃに示すように、終端接点５０６ａから熱可塑性接着剤５０４までを完全に貫通する形態の 多数のビアホール５１２ａを形成する。
【００４６】
ビアホール５１２ａは、１つのビア孔ではなく、多数のビア孔（即ち、微細孔束）で形成され得るが、これは、前述した実施形態１と同様に、織物型電子素子パッケージ５００の使用特性上、伸ばしと曲げなどのような物理的、構造的な変化にも十分に堅固性を維持できるようにするためである。
【００４７】
続いて、伝導性パターン５０６上の目標位置に織物型電子素子又は電子素子を実装して織物型電子素子パッケージ５００を完成する。
【００４８】
次に、ビアホール５１２ａが形成された織物型電子素子パッケージ５００を、伝導性回路パターン６０２を有する織物６００（又は衣服）の目標位置に整列（即ち、織物型電子素子パッケージ５００の各ビアホール５１２ａが織物６００に形成された対応する各伝導性回路パターン６０２上に接触整列）させた後、熱圧着装置（例えば、レーザ接合機、アイロン、半田ごて、超音波接合機など）を用いて織物型電子素子パッケージ５００と織物６００が当接する領域に熱を加えることによって、図７Ｄに図示されたように、織物型電子素子パッケージ５００を織物６００に一時接着又は先行接着させる。
【００４９】
織物型電子素子パッケージ５００を織物６００に一時接着させる理由は、後続する伝導性高分子の埋め込み工程時に織物型電子素子パッケージ５００と織物６００間の整列がずれるのを防止するためである。
【００５０】
続いて、ディスペンサなどのような定量吐出システムを用いて各ビアホール５１２ａに伝導性高分子物質を一定量だけ選択的に吐出してその内部を埋め込むことで、ビアホール型連結部５１２を形成し、熱圧着装置（例えば、レーザ接合機、アイロン、半田ごて、超音波接合機など）を用いて織物型電子素子パッケージ５００と織物６００（又は織物回路）が当接する領域に熱を加えることによって、一例として、図７Ｆに示すように、伝導性高分子の焼成と同時に、織物型電子素子パッケージ５００を織物６００に接着させる。ここで、伝導性高分子は一定量の熱により焼成されなければ伝導度が発生しない伝導性インク又は伝導性接着剤であり、熱の放射方向は織物の背面側或いは織物型電子素子パッケージが実装された側になり得る。
【００５１】
即ち、本実施形態によれば、熱圧着装置を用いる焼成工程を通じて一度に織物型電子素子パッケージの電極と織物の電極（伝導性回路パターン）を相互連結すると同時に、織物型電子素子パッケージの熱可塑性接着剤と織物を接着させる。従って、接着力が相対的に弱くなり得る伝導性高分子（伝導性接着剤）の接着力を周囲の熱可塑性接着剤が強く補完することによって、全体的な接着力を増大させることができ、これを通じて織物に変形、例えば、伸ばし、曲げなどが加えられても柔軟性を維持すると共に、優れた堅固性及び織物の接着力を維持できる。
【００５２】
以上の説明では、本発明の好適な実施形態を提示して説明したが、本発明が必ずこれに限定されるものではなく、本発明の属する技術分野において通常の知識を有する者であれば、本発明の技術的思想から逸脱しない範囲内で多様な置換、変形及び変更が可能であることが容易に分かる。
【図１Ａ】
0005854617.tif 000002
【図１Ｂ】
0005854617.tif 000003
【図２】
0005854617.tif 000004
【図３Ａ】
0005854617.tif 000005
【図３Ｂ】
0005854617.tif 000006
【図４Ａ】
0005854617.tif 000007
【図４Ｂ】
0005854617.tif 000008
【図４Ｃ】
0005854617.tif 000009
【図４Ｄ】
0005854617.tif 000010
【図４Ｅ】
0005854617.tif 000011
【図４Ｆ】
0005854617.tif 000012
【図４Ｇ】
0005854617.tif 000013
【図５】
0005854617.tif 000014
【図６】
0005854617.tif 000015
【図７Ａ】
0005854617.tif 000016
【図７Ｂ】
0005854617.tif 000017
【図７Ｃ】
0005854617.tif 000018
【図７Ｄ】
0005854617.tif 000019
【図７Ｅ】
0005854617.tif 000020